(57)【要約】【課題】チューナダイバシチを用いる場合において、何れかの無線通信部を用いて制御データを所定の間隔毎に送受信しつつ、さらに確実に通信データを送受信する無線基地局、通信プログラム及び通信方法を提供する。【解決手段】無線基地局は、制御データＤ２を送受信する場合、制御データＤ２の送受信に用いられるタイムスロットＴＳｎよりも前のタイムスロットＴＳｎ−１において選択された第１無線通信部を用いて通信データＤ１を送受信する。【選択図】図４
2008124927.tif 000002
【特許請求の範囲】
【請求項１】
所定の無線周波数と対応付けられる無線通信部を複数備え、受信通信品質に基づいて何れかの前記無線通信部を選択し、移動局が通信先と送受信する通信データと、前記移動局との無線通信の制御に用いられ、所定の間隔毎に送受信される制御データとを送受信する無線基地局であって、
前記制御データを送受信する場合、前記制御データの送受信に用いられる所定タイムスロットよりも前のタイムスロットにおいて選択された前記無線通信部である被選択無線通信部を用いて前記通信データを送受信させる制御部を備える無線基地局。
【請求項２】
前記制御部は、前記所定タイムスロットにおいて、前記被選択無線通信部と異なる前記無線通信部を用いて前記制御データを送受信させる請求項１に記載の無線基地局。
【請求項３】
前記制御部は、前記所定タイムスロットよりも前の複数のタイムスロットにおいて選択された回数の多い前記無線通信部を前記被選択無線通信部と判定する請求項１または２に記載の無線基地局。
【請求項４】
前記制御データは、何れかの前記無線通信部を用いて送受信することが予め定められており、
前記無線通信部を介して受信した無線信号の受信通信品質が所定の閾値を超えるか否かを判定する受信通信品質判定部をさらに備え、
前記制御部は、前記受信通信品質判定部によって前記受信通信品質が前記所定の閾値を超えると判定された場合、予め定められている前記無線通信部を用いて前記制御データを送受信する請求項１乃至３の何れか一項に記載の無線基地局。
【請求項５】
所定の無線周波数と対応付けられる無線通信部を複数備え、受信通信品質に基づいて何れかの前記無線通信部を選択し、移動局が通信先と送受信する通信データと、前記移動局との無線通信の制御に用いられ、所定の間隔毎に送受信される制御データとを送受信する通信装置において実行される通信プログラムであって、
前記通信装置に、
前記制御データを送受信するタイミングが到来したか否かを判定する判定処理と、
前記制御データの送受信に用いられる所定タイムスロットよりも前のタイムスロットにおいて選択された前記無線通信部である被選択無線通信部を用いて前記通信データを送受信させる送受信処理と
を実行させる通信プログラム。
【請求項６】
所定の無線周波数と対応付けられる無線通信部を複数備え、受信通信品質に基づいて何れかの前記無線通信部を選択し、移動局が通信先と送受信する通信データと、前記移動局との無線通信の制御に用いられ、所定の間隔毎に送受信される制御データとを送受信する通信装置を用いた通信方法であって、
前記制御データを送受信するタイミングが到来したか否かを判定するステップと、
前記制御データの送受信に用いられる所定タイムスロットよりも前のタイムスロットにおいて選択された前記無線通信部である被選択無線通信部を用いて前記通信データを送受信させるステップと
を備える通信方法。
【発明の詳細な説明】
【技術分野】
【０００１】
本発明は、異なる無線周波数と対応付けられる無線通信部を複数備え、受信通信品質に基づいて何れかの前記無線通信部を選択し、移動局が通信先と送受信する通信データ、及び移動局との無線通信の制御に用いられ、所定の間隔毎に送受信される制御データを送受信する無線基地局、通信プログラム及び通信方法に関する。
【背景技術】
【０００２】
ＰＨＳ（personal handyphone system）など、時分割多重多元接続（ＴＤＭＡ）を用いた無線通信システムでは、いわゆる“チューナダイバシチ”が実現されている（例えば、特許文献１）。
【０００３】
チューナダイバシチが用いられる場合、無線基地局（ＣＳ）及び移動局（ＰＳ）は、無線周波数が異なる複数の無線通信部（一般的には２つの無線通信部）の中から受信通信品質が良好な何れか無線通信部をタイムスロット毎に選択し、選択した無線通信部を介して通信データ（例えば、音声通話データ）を順次送受信する。
【０００４】
また、このような無線通信システムでは、無線基地局と移動局との無線通信の制御に用いられる制御データが所定の間隔毎に送受信される。具体的には、制御データは、予め定められたタイムスロットにおいて、特定の無線周波数、つまり、特定の無線通信部を用いて送受信される。
【特許文献１】特開２００５−１５０９６９号公報（第６−８頁、第１図）
【発明の開示】
【発明が解決しようとする課題】
【０００５】
しかしながら、上述した従来の無線通信システムには、次のような問題があった。すなわち、制御データは、予め定められたタイムスロットにおいて特定の無線通信部を用いて送受信されるため、当該タイムスロットでは、チューナダイバシチを用いることができない。
【０００６】
このため、当該タイムスロットでは、受信通信品質が良好な何れかの無線通信部を通信データの送受信用として選択することができないといった問題があった。
【０００７】
通信データの送受信に必要な受信通信品質が得られない場合、当該通信データを送受信するタイムスロット（及び無線周波数）を変更することができるが、タイムスロットの変更時に通信データの送受信が途絶してしまう。
【０００８】
そこで、本発明は、このような状況に鑑みてなされたものであり、チューナダイバシチを用いる場合において、何れかの無線通信部を用いて制御データを所定の間隔毎に送受信しつつ、さらに確実に通信データを送受信する無線基地局、通信プログラム及び通信方法を提供することを目的とする。
【課題を解決するための手段】
【０００９】
上述した問題を解決するため、本発明は、次のような特徴を有している。まず、本発明の第１の特徴は、所定の無線周波数と対応付けられる無線通信部（第１無線通信部１２１，第２無線通信部１２２）を複数備え、受信通信品質（例えば、フレームエラーレート）に基づいて何れかの前記無線通信部を選択し、移動局（ＰＳ２００）が通信先と送受信する通信データ（通信データＤ１）と、前記移動局との無線通信の制御に用いられ、所定の間隔（例えば、４タイムスロット）毎に送受信される制御データ（制御データＤ２）とを送受信する無線基地局（例えば、ＣＳ１００Ａ）であって、前記制御データを送受信する場合、前記制御データの送受信に用いられる所定タイムスロット（タイムスロットＴＳｎ）よりも前のタイムスロット（例えば、タイムスロットＴＳｎ−１）において選択された前記無線通信部である被選択無線通信部（例えば、第１無線通信部１２１）を用いて前記通信データを送受信させる制御部（制御部１３０）を備えることを要旨とする。
【００１０】
このような無線基地局によれば、制御データの送受信に用いられる所定タイムスロットよりも前のタイムスロットにおいて選択された無線通信部を用いて通信データが送受信される。所定タイムスロットよりも前のタイムスロットでは、受信通信品質が良好であった無線通信部が選択されているため、所定タイムスロットにおいても当該無線通信部を用いることによって、良好な受信通信品質が期待できる。
【００１１】
すなわち、このような無線基地局によれば、制御データが送受信される所定タイムスロットでも、良好な受信通信品質が期待できる無線通信部を用いて通信データが送受信され、他の無線通信部を用いて制御データが送受信される。つまり、このような無線基地局によれば、チューナダイバシチを用いる場合において、何れかの無線通信部を用いて制御データを所定の間隔毎に送受信しつつ、さらに確実に通信データを送受信することができる。
【００１２】
本発明の第２の特徴は、本発明の第１の特徴に係り、前記制御部は、前記所定タイムスロットにおいて、前記被選択無線通信部と異なる前記無線通信部（例えば、第２無線通信部１２２）を用いて前記制御データを送受信させることを要旨とする。
【００１３】
本発明の第３の特徴は、本発明の第１または第２の特徴に係り、前記制御部は、前記所定タイムスロットよりも前の複数のタイムスロット（タイムスロットＴＳｎ−ｍ〜タイムスロットＴＳｎ−１）において選択された回数の多い前記無線通信部を前記被選択無線通信部と判定することを要旨とする。
【００１４】
本発明の第４の特徴は、本発明の第１乃至第３の特徴に係り、前記制御データは、何れかの前記無線通信部を用いて送受信することが予め定められており、前記無線通信部を介して受信した無線信号の受信通信品質が所定の閾値を超えるか否かを判定する受信通信品質判定部（制御部１３０）をさらに備え、前記制御部は、前記受信通信品質判定部によって前記受信通信品質が前記所定の閾値を超えると判定された場合、予め定められている前記無線通信部を用いて前記制御データを送受信することを要旨とする。
【００１５】
本発明の第５の特徴は、所定の無線周波数と対応付けられる無線通信部を複数備え、受信通信品質に基づいて何れかの前記無線通信部を選択し、移動局が通信先と送受信する通信データと、前記移動局との無線通信の制御に用いられ、所定の間隔毎に送受信される制御データとを送受信する通信装置において実行される通信プログラムであって、前記通信装置に、前記制御データを送受信するタイミングが到来したか否かを判定する判定処理と、前記制御データの送受信に用いられる所定タイムスロットよりも前のタイムスロットにおいて選択された前記無線通信部である被選択無線通信部を用いて前記通信データを送受信させる送受信処理とを実行させることを要旨とする。
【００１６】
本発明の第５の特徴に係り、前記送受信処理では、前記所定タイムスロットにおいて、前記被選択無線通信部と異なる前記無線通信部を用いて前記制御データを送受信させてもよい。さらに、前記送受信処理では、前記所定タイムスロットよりも前の複数のタイムスロットにおいて選択された回数の多い前記無線通信部を前記被選択無線通信部と判定してもよい。
【００１７】
また、本発明の第５の特徴に係り、前記制御データは、何れかの前記無線通信部を用いて送受信することが予め定められており、前記無線通信部を介して受信した無線信号の受信通信品質が所定の閾値を超えるか否かを判定する受信通信品質判定処理をさらに備え、前記送受信処理では、前記受信通信品質判定処理によって前記受信通信品質が前記所定の閾値を超えると判定された場合、予め定められている前記無線通信部を用いて前記制御データを送受信してもよい。
【００１８】
本発明の第６の特徴は、所定の無線周波数と対応付けられる無線通信部を複数備え、受信通信品質に基づいて何れかの前記無線通信部を選択し、移動局が通信先と送受信する通信データと、前記移動局との無線通信の制御に用いられ、所定の間隔毎に送受信される制御データとを送受信する通信装置を用いた通信方法であって、前記制御データを送受信するタイミングが到来したか否かを判定するステップと、前記制御データの送受信に用いられる所定タイムスロットよりも前のタイムスロットにおいて選択された前記無線通信部である被選択無線通信部を用いて前記通信データを送受信させるステップとを備えることを要旨とする。
【００１９】
本発明の第６の特徴に係り、前記送受信させるステップでは、前記所定タイムスロットにおいて、前記被選択無線通信部と異なる前記無線通信部を用いて前記制御データを送受信させてもよい。さらに、前記送受信させるステップでは、前記所定タイムスロットよりも前の複数のタイムスロットにおいて選択された回数の多い前記無線通信部を前記被選択無線通信部と判定してもよい。
【００２０】
また、本発明の第６の特徴に係り、前記制御データは、何れかの前記無線通信部を用いて送受信することが予め定められており、前記無線通信部を介して受信した無線信号の受信通信品質が所定の閾値を超えるか否かを判定するステップをさらに備え、前記送受信させるステップでは、前記判定するステップにおいて前記受信通信品質が前記所定の閾値を超えると判定された場合、予め定められている前記無線通信部を用いて前記制御データを送受信してもよい。
【発明の効果】
【００２１】
本発明の特徴によれば、チューナダイバシチを用いる場合において、何れかの無線通信部を用いて制御データを所定の間隔毎に送受信しつつ、さらに確実に通信データを送受信する無線基地局、通信プログラム及び通信方法を提供することができる。
【発明を実施するための最良の形態】
【００２２】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００２３】
したがって、具体的な寸法などは以下の説明を参酌して判断すべきものである。また、図面相互間においても互いの寸法の関係や比率が異なる部分が含まれていることは勿論である。
【００２４】
（無線通信システムの全体構成）
図１は、本実施形態に係る無線通信システムの全体構成図である。本無線通信システムは、ＰＨＳ（personal handyphone system）の規格に準拠した無線通信システムである。本無線通信システムでは、時分割多重多元接続（ＴＤＭＡ）及び時分割復信（ＴＤＤ）が用いられる。
【００２５】
本実施形態では、無線基地局１００Ａ，１００Ｂ（以下、ＣＳ１００Ａ，ＣＳ１００Ｂと適宜省略する）と、移動局２００（以下、ＰＳ２００と適宜省略する）とによって無線通信システムが構成される。なお、無線通信システムを構成する無線基地局及び移動局の数は、図１に示した数量に限定されるものではない。
【００２６】
ＣＳ１００Ａは、ビルＢＤ１の屋上に設置される。ＣＳ１００Ａは、第１無線通信部１２１（図１において不図示、図２参照）に接続されるアンテナ１１１Ａと、第２無線通信部１２２（図１において不図示、図２参照）に接続されるアンテナ１１２Ａを備える。
【００２７】
ＣＳ１００Ａは、ＰＳ２００から受信した無線信号ＲＳ１，ＲＳ２の受信通信品質に基づいて、第１無線通信部１２１または第２無線通信部１２２（チューナ）の何れかを選択する、いわゆる“チューナダイバシチ”を用いることができる。
【００２８】
ＣＳ１００Ｂは、ビルＢＤ２の屋上に設置される。ＣＳ１００ＢもＣＳ１００Ａと同様に、別個の無線通信部にそれぞれ接続されるアンテナ１１１Ｂと、アンテナ１１２Ｂとを備える。
【００２９】
なお、本実施形態では、ＣＳ１００Ａ，１００Ｂが送信する無線信号ＲＳ１，ＲＳ２の電力（例えば、５００ｍＷ）は、ＰＳ２００が送信する無線信号ＲＳ１，ＲＳ２の電力（例えば、１０ｍＷ）よりも高い。
【００３０】
（無線基地局の機能ブロック構成）
図２は、ＣＳ１００Ａの機能ブロック図である。図２に示すように、ＣＳ１００Ａは、アンテナ１１１Ａ，１１２Ａ、第１無線通信部１２１，１２２、制御部１３０、第１無線信号処理部１４１，１４２、切替部１５０及びベースバンド部１６０を備える。なお、ＣＳ１００ＢもＣＳ１００Ａと同様の機能ブロック構成を有する。
【００３１】
アンテナ１１１Ａは、１．９ＧＨｚ帯の無線信号ＲＳ１を送受信するアレイアンテナであり、第１無線通信部１２１と接続される。
【００３２】
第１無線通信部１２１は、１．９ＧＨｚ帯の無線信号ＲＳ１を生成し、アンテナ１１１Ａを介して送信する。また、第１無線通信部１２１は、アンテナ１１１Ａを介して１．９ＧＨｚ帯の無線信号ＲＳ１をＰＳ２００から受信する。つまり、第１無線通信部１２１は、所定の無線周波数と対応付けられている。
【００３３】
なお、アンテナ１１２Ａ及び第２無線通信部１２２は、アンテナ１１１Ａ及び第１無線通信部１２１とそれぞれ同様の機能を有する。第２無線通信部１２２は、無線周波数が異なる１．９ＧＨｚ帯の無線信号ＲＳ２を生成し、アンテナ１１２Ａを介して送信する。また、第２無線通信部１２２は、アンテナ１１２Ａを介して１．９ＧＨｚ帯の無線信号ＲＳ２をＰＳ２００から受信する。
【００３４】
制御部１３０は、第１無線信号処理部１４１，１４２、切替部１５０及びベースバンド部１６０と接続される。制御部１３０は、第１無線信号処理部１４１，１４２、切替部１５０及びベースバンド部１６０を制御する。
【００３５】
特に、本実施形態では、制御部１３０は、無線信号ＲＳ１，ＲＳ２の受信通信品質（例えば、フレームエラーレート（ＦＥＲ）や受信信号強度（ＲＳＳＩ））に基づいて、第１無線通信部１２１または第２無線通信部１２２の何れかを選択する。
【００３６】
具体的には、制御部１３０は、第１無線信号処理部１４１，１４２から通知された受信通信品質を示す情報に基づいて、受信通信品質が良好な無線通信部（例えば、第１無線通信部１２１）を選択する。制御部１３０は、切替部１５０を制御し、選択した無線通信部とベースバンド部１６０とを接続する。
【００３７】
ここで、図４は、第１無線通信部１２１によって送受信される無線信号ＲＳ１、及び第２無線通信部１２２によって送受信される無線信号ＲＳ２の構成例を示す。
【００３８】
図４に示すように、無線信号ＲＳ１，ＲＳ２には、通信データＤ１と、制御データＤ２とが含まれる。通信データＤ１は、ＰＳ２００が通信先（例えば、他の移動局）と送受信するデータ（例えば、音声通話データ）である。制御データＤ２は、ＣＳ１００ＡとＰＳ２００との無線通信の制御に用いられ、４タイムスロット（所定の間隔）毎に送受信される。
【００３９】
具体的には、通信データＤ１及び制御データＤ２は、タイムスロット（例えば、タイムスロットＴＳｎ）を単位として順次送受信される。
【００４０】
制御部１３０は、タイムスロット毎に第１無線通信部１２１または第２無線通信部１２２を選択して、通信データＤ１または制御データＤ２を送受信する。図４において、タイムスロットを示すボックス内における“Ｔ”の文字は、当該タイムスロットにおいて選択された無線通信部を示す。また、タイムスロットを示すボックス内における“Ｃ”の文字は、当該タイムスロットにおいて制御データＤ２を送受信するために選択された無線通信部を示す。
【００４１】
例えば、タイムスロットＴＳｎ−ｍでは、第１無線通信部１２１（無線信号ＲＳ１）が選択されたことを示す。また、タイムスロットＴＳｎ−１でも同様に第１無線通信部１２１が選択されたことを示す。
【００４２】
また、制御部１３０は、制御データＤ２を送受信する場合、制御データＤ２の送受信に用いられるタイムスロットよりも前のタイムスロットにおいて選択された無線通信部を用いて通信データＤ１を送受信させる。
【００４３】
例えば、制御部１３０は、タイムスロットＴＳｎ（所定タイムスロット）において制御データＤ２を送受信する場合、タイムスロットＴＳｎよりも前、具体的には、タイムスロットＴＳｎの直前に位置するタイムスロットＴＳｎ−１において選択された第１無線通信部１２１（被選択無線通信部）を用いて通信データＤ１を送受信させる。
【００４４】
一方、制御部１３０は、タイムスロットＴＳｎにおいて、通信データＤ１を送受信するために選択された第１無線通信部１２１と異なる無線通信部、すなわち、第２無線通信部１２２を用いて制御データＤ２を送受信させる。
【００４５】
本実施形態では、制御データＤ２は、所定の間隔毎に第１無線通信部１２１（無線信号ＲＳ１）を用いて送受信することが予め定められている。ただし、制御データＤ２が送受信されるタイミングでも、無線信号の受信通信品質が良好な無線通信部が通信データＤ１の送受信に用いられる。つまり、第１無線通信部１２１が受信した無線信号ＲＳ１の受信通信品質が良好な場合、制御データＤ２は、第１無線通信部１２１ではなく、第２無線通信部１２２を用いて送受信される。
【００４６】
また、制御部１３０は、タイムスロットＴＳｎよりも前の複数のタイムスロットにおいて選択された回数の多い無線通信部を、タイムスロットＴＳｎにおいて通信データＤ１の送受信に用いると判定することもできる。
【００４７】
例えば、図４に示すように、タイムスロットＴＳｎよりも前に位置するタイムスロットＴＳｎ−ｍ〜タイムスロットＴＳｎ−１において、第１無線通信部１２１は、３回選択されている。一方、タイムスロットＴＳｎ−ｍ〜タイムスロットＴＳｎ−１において、第２無線通信部１２２は、２回選択されている。この場合、制御部１３０は、第１無線通信部１２１をタイムスロットＴＳｎにおいて通信データＤ１の送受信に用いる無線通信部と判定する。
【００４８】
また、制御部１３０は、無線信号ＲＳ１，ＲＳ２の受信通信品質が所定の閾値を超えるか否かを判定することができる。本実施形態において、制御部１３０は、受信通信品質判定部を構成する。
【００４９】
制御部１３０は、第２無線通信部１２２が受信した無線信号ＲＳ２の受信通信品質が所定の閾値を超えると判定された場合、第１無線通信部１２１が受信した無線信号ＲＳ１の受信通信品質が無線信号ＲＳ２の受信通信品質より良好な場合でも、予め定められている第１無線通信部１２１を用いて制御データＤ２を送受信する。
【００５０】
第１無線信号処理部１４１は、第１無線通信部１２１及び切替部１５０と接続される。第１無線信号処理部１４１は、ＤＳＰ（digital signal processor）を有し、ベースバンド信号のデジタル変復調処理を実行する。また、第１無線信号処理部１４１は、無線信号ＲＳ１，ＲＳ２の受信通信品質を示す情報を制御部１３０に通知する。
【００５１】
第２無線信号処理部１４２は、第１無線信号処理部１４１と同様の機能を有する。第２無線信号処理部１４２は、第２無線通信部１２２及び切替部１５０と接続される。
【００５２】
切替部１５０は、第１無線通信部１２１〜第１無線信号処理部１４１の系、または第２無線通信部１２２〜第２無線信号処理部１４２の系のうち、受信通信品質が良好な系を選択する。具体的には、切替部１５０は、制御部１３０からの制御に基づいて、受信通信品質（例えば、ＦＥＲ）が良好な系を選択する。
【００５３】
ベースバンド部１６０は、ベースバンド信号に関する処理（例えば、基地局識別符号（ＣＳＩＤ）などの各種情報の付加や除去）を実行する。また、ベースバンド部１６０は、通信ネットワーク（不図示）と接続するためのネットワークインタフェースを備える。
【００５４】
（無線通信システムの動作）
次に、上述した本実施形態に係る無線通信システムの動作について説明する。具体的には、ＣＳ１００Ａが、無線信号ＲＳ１，ＲＳ２の受信通信品質に基づいて、通信データＤ１及び制御データＤ２の送受信に用いられる無線通信部を選択する動作について説明する。
【００５５】
図３は、ＣＳ１００Ａによる無線通信部の選択動作フローを示す。図３に示すように、ステップＳ１０において、ＣＳ１００Ａは、制御データＤ２を送受信するタイミングが到来したか否かを判定する。例えば、ＣＳ１００Ａは、図４に示したタイムスロットＴＳｎのタイミングが到来したか否かを判定する。
【００５６】
制御データＤ２を送受信するタイミングが到来した場合（ステップＳ１０のＹＥＳ）、ステップＳ２０において、ＣＳ１００Ａは、前回の通信データＤ１の送受信において第１無線通信部１２１が選択されたか否かを判定する。具体的には、ＣＳ１００Ａは、タイムスロットＴＳｎよりも前、具体的には、タイムスロットＴＳｎの直前に位置するタイムスロットＴＳｎ−１において、第１無線通信部１２１が選択されたか否かを判定する。
【００５７】
前回の通信データＤ１の送受信において第１無線通信部１２１が選択された場合（ステップＳ２０のＹＥＳ）、ステップＳ３０において、ＣＳ１００Ａは、第１無線通信部１２１を用いて通信データＤ１を送受信する。また、ＣＳ１００Ａは、第２無線通信部１２２を用いて制御データＤ２を送受信する。
【００５８】
前回の通信データＤ１の送受信において第１無線通信部１２１が選択されなかった場合（ステップＳ２０のＮＯ）、つまり、前回の通信データＤ１の送受信において第２無線通信部１２２が選択された場合、ステップＳ４０において、ＣＳ１００Ａは、第２無線通信部１２２を用いて通信データＤ１を送受信する。また、ＣＳ１００Ａは、第１無線通信部１２１を用いて制御データＤ２を送受信する。
【００５９】
制御データＤ２を送受信するタイミングでない場合（ステップＳ１０のＮＯ）、ステップＳ５０において、ＣＳ１００Ａは、通常のチューナダイバシチにしたがって第１無線通信部１２１または第２無線通信部１２２の何れかを選択する。つまり、通信データＤ１は、無線信号の受信通信品質が良好な何れかの無線通信部を用いて送受信される。
【００６０】
（作用・効果）
ＣＳ１００Ａによれば、制御データＤ２の送受信に用いられるタイムスロット（例えば、タイムスロットＴＳｎ）よりも前のタイムスロット（例えば、タイムスロットＴＳｎ−１）において選択された無線通信部（第１無線通信部１２１）を用いて通信データＤ１が送受信される。タイムスロットＴＳｎよりも前のタイムスロットＴＳｎ−１では、受信通信品質が良好であった無線通信部が選択されているため、タイムスロットＴＳｎにおいても当該無線通信部を用いることによって、良好な受信通信品質が期待できる。
【００６１】
すなわち、ＣＳ１００Ａによれば、制御データＤ２が送受信されるタイムスロットＴＳｎでも、良好な受信通信品質が期待できる第１無線通信部１２１を用いて通信データＤ１が送受信され、第２無線通信部１２２を用いて制御データＤ２が送受信される。つまり、ＣＳ１００Ａによれば、チューナダイバシチを用いる場合において、何れかの無線通信部を用いて制御データＤ２を所定の間隔毎に送受信しつつ、さらに確実に通信データＤ１を送受信することができる。
【００６２】
より具体的には、図１に示すように、ＣＳ１００Ａ〜ＰＳ２００間では、無線信号ＲＳ１は、ビルＢＤ１の影響を受けず送受信される。一方、無線信号ＲＳ２は、ビルＢＤ１の影響を受け、受信通信品質が劣化する。本実施形態では、通信データＤ１は、無線信号ＲＳ１によって送受信される。また、制御データＤ２は、無線信号ＲＳ２によって送受信される。
【００６３】
このため、ＰＳ２００が図１に示すような位置において無線通信を実行する場合でも、通信データＤ１を送受信することができる。また、ＰＳ２００の近傍に位置する他のＰＳは、無線信号ＲＳ２によって送受信される制御データＤ２を必ずしも受信することができないが、ビルＢＤ２に設置されているＣＳ１００Ｂとは、制御データＤ２を送受信することができる。
【００６４】
本実施形態では、タイムスロットＴＳｎよりも前の複数のタイムスロットにおいて選択された回数の多い無線通信部を、タイムスロットＴＳｎにおいて通信データＤ１の送受信に用いることができる。すなわち、受信通信品質が良好である可能性が統計的に高い無線通信部を用いて通信データＤ１の送受信される。このため、受信通信品質がある程度安定している場合などには、さらに確実に通信データＤ１を送受信することができる。
【００６５】
本実施形態では、第２無線通信部１２２が受信した無線信号ＲＳ２の受信通信品質が所定の閾値を超えると判定された場合、第１無線通信部１２１が受信した無線信号ＲＳ１の受信通信品質が無線信号ＲＳ２の受信通信品質より良好な場合でも、予め定められている第１無線通信部１２１を用いて制御データＤ２が送受信される。すなわち、通信データＤ１は、第２無線通信部１２２を用いて送受信される。このため、制御部１３０によって不要な制御が実行されることを防止できる。
【００６６】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【００６７】
例えば、上述した本発明の実施形態では、第１無線通信部１２１と第２無線通信部１２２との２つの無線通信部が用いられていたが、無線通信部の数量は、３つ以上であっても構わない。
【００６８】
また、上述した制御部１３０の機能は、通信装置やコンピュータにおいて実行可能なプログラムとしても提供することができる。
【００６９】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【００７０】
【図１】本発明の実施形態に係る無線通信システムの全体構成図である。
【図２】本発明の実施形態に係る無線基地局の機能ブロック図である。
【図３】本発明の実施形態に係る無線基地局による無線通信部の選択動作フローである。
【図４】本発明の実施形態に係る無線通信システムにおいて送受信される無線信号の構成例である。
【符号の説明】
【００７１】
１００Ａ，１００Ｂ…ＣＳ（無線基地局）
１１１Ａ，１１１Ｂ，１１２Ａ，１１２Ｂ…アンテナ
１２１…第１無線通信部
１２２…第２無線通信部
１３０…制御部
１４１…第１無線信号処理部
１４２…第２無線信号処理部
１５０…切替部
１６０…ベースバンド部
２００…ＰＳ（移動局）
ＢＤ１，ＢＤ２…ビル
Ｄ１…通信データ
Ｄ２…制御データ
ＲＳ１，ＲＳ２…無線信号
ＴＳｎ，ＴＳｎ−１，ＴＳｎ−ｍ…タイムスロット
【図１】
2008124927.tif 000003
【図２】
2008124927.tif 000004
【図３】
2008124927.tif 000005
【図４】
2008124927.tif 000006